(57)【特許請求の範囲】
【請求項１】
加硫成形したタイヤのトレッド面に突設されたスピューを切除するためのスピューのトリミング方法において、
トレッドパターンを成形する成形面部に、タイヤ周方向に沿って配列されたブロックを形成するための凹所と、溝部を形成するための凸部とが設けられ、前記凹所のタイヤ周方向両側の隅部の各々にベントホールが設けられていて、前記成形面部の全域にて、ベントホールが、別のベントホールの中心からタイヤ周方向に１２ｍｍ以内で且つタイヤ幅方向に５ｍｍ以内となる範囲に含まれない位置に設けられているタイヤ成形型を用いて加硫成形を行い、
前記タイヤ成形型から脱型したタイヤのトレッド面にカッター刃を近付けた状態で該タイヤを回転させ、スピューをタイヤ周方向から切除する工程を含み、
前記凸部の横溝を成形する部分を挟んで前記凹所の隅部がタイヤ周方向に互いに隣り合っており、ベントホールが一方の前記凹所の隅部に設けられていて、別のベントホールが他方の前記凹所の隅部から離れる側に設けられていることを特徴とするスピューのトリミング方法。
【請求項２】
タイヤのトレッドパターンを成形する成形面部に、タイヤ周方向に沿って配列されたブロックを形成するための複数の凹所と、溝部を形成するための凸部とが設けられ、前記凹所のタイヤ周方向両側の隅部の各々にベントホールが設けられているタイヤ成形型において、
前記凸部の横溝を成形する部分を挟んで前記凹所の隅部がタイヤ周方向に互いに隣り合っており、ベントホールが一方の前記凹所の隅部に設けられていて、別のベントホールが他方の前記凹所の隅部から離れる側に設けられており、
前記成形面部の全域にて、ベントホールが、別のベントホールの中心からタイヤ周方向に１２ｍｍ以内で且つタイヤ幅方向に５ｍｍ以内となる範囲に含まれない位置に設けられていることを特徴とするタイヤ成形型。
【発明の詳細な説明】
【技術分野】
【０００１】
本発明は、加硫成形したタイヤのトレッド面に突設されたスピューを切除するためのスピューのトリミング方法と、その方法に用いられるタイヤ成形型とに関する。
【背景技術】
【０００２】
タイヤの加硫成形では、トレッド面にタイヤ成形型の成形面部が押し当てられ、その成形面部の凹凸形状に対応したトレッドパターンが成形される。このとき、トレッド面と成形面部との間にあるエアは、陸部を形成するための凹所に押し込まれるが、このエアを残留させた状態で加硫成形を行うと、トレッド面にベアと呼ばれる凹み傷が発生して成形不良の原因になる。そこで、凹所に設けたベントホールを通じて、エアを型外に排出するようにしている（下記特許文献１，２参照）。
【０００３】
加硫成形後のタイヤには、トレッド面にスピューと呼ばれる多数のゴム突起が形成される。これは、加硫成形時に凹所に充満したゴムが、ベントホールに流入することによるものである。従来、タイヤの外観向上を図るべく、スピューを切除するためのトリミング処理を施しており、具体的には、トレッド面にカッター刃を近付けた状態でタイヤを回転させ、スピューをタイヤ周方向から切除している。
【０００４】
通常、ベントホールは、エアの排出性を確保する観点から、凹所の各々に１〜１．３５ｍｍ程度の直径で設けられ、スピューの長さは、ゴム配合や加硫条件などに依存するものの概ね９〜１２ｍｍ程度である。また、加硫成形時にはゴム流れによってエアが凹所の隅部へと押し込まれる傾向にあるため、ベントホールは少なくとも凹所の隅部に配置される。
【０００５】
図６は、成形面部の一例を示す要部拡大図であり、左右がタイヤ周方向、上下がタイヤ幅方向となる。（ａ）及び（ｂ）の何れにおいても、ベントホール１１が凹所９，１０の隅部に配置されている。ベントホール１１の配置間隔は、トレッドパターンやタイヤサイズに応じて個々別々となるが、凸部の横溝を成形する部分の幅Ｗｇはせいぜい３ｍｍ程度であることから、タイヤ周方向に隣り合うベントホール１１の配置間隔Ｇが９ｍｍ未満となることは避け難いものであった。
【０００６】
そのため、トリミング処理では、図７に示すように、カッター刃１２がスピュー１３ａを切り落とす際に、スピュー１３ａがタイヤ周方向に隣り合うスピュー１３ｂに干渉して倒れ込ませることがあった。これにより、倒れ込んだスピュー１３ｂの根元に対してカッター刃１２が入り込み難くなるため、スピュー１３ｂが切除されずに残ってしまい、タイヤの外観を悪化させたり、切り残しを切除する処理が余分に必要になったりするという問題が生じる。
【特許文献１】特開平５−１７７６４４号公報
【特許文献２】特開平７−８８８４６号公報
【発明の開示】
【発明が解決しようとする課題】
【０００７】
本発明は上記実情に鑑みてなされたものであり、その目的は、スピュー同士の干渉を抑制して切り残しの発生を防ぐことができるスピューのトリミング方法と、その方法に用いられるタイヤ成形型とを提供することにある。
【課題を解決するための手段】
【０００８】
上記目的は、下記の如き本発明により達成できる。即ち、本発明に係るスピューのトリミング方法は、加硫成形したタイヤのトレッド面に突設されたスピューを切除するためのスピューのトリミング方法において、トレッドパターンを成形する成形面部に、タイヤ周方向に沿って配列されたブロックを形成するための凹所と、溝部を形成するための凸部とが設けられ、前記凹所のタイヤ周方向両側の隅部の各々にベントホールが設けられていて、前記成形面部の全域にて、ベントホールが、別のベントホールの中心からタイヤ周方向に１２ｍｍ以内で且つタイヤ幅方向に５ｍｍ以内となる範囲に含まれない位置に設けられているタイヤ成形型を用いて加硫成形を行い、前記タイヤ成形型から脱型したタイヤのトレッド面にカッター刃を近付けた状態で該タイヤを回転させ、スピューをタイヤ周方向から切除する工程を含み、前記凸部の横溝を成形する部分を挟んで前記凹所の隅部がタイヤ周方向に互いに隣り合っており、ベントホールが一方の前記凹所の隅部に設けられていて、別のベントホールが他方の前記凹所の隅部から離れる側に設けられていることを特徴とする。
【０００９】
本発明によれば、上記の如きタイヤ成形型を用いて加硫成形することで、トレッド面の全域においてスピューの配置間隔が確保される。これにより、トリミング処理の際に、カッター刃がスピューを倒れ込ませたとしても、そのスピューがタイヤ周方向に隣り合うスピューに干渉することがなく、各スピューの根元にカッター刃を入り込ませることができる。その結果、スピューの切り残しの発生を防いで、タイヤの外観向上を図ることができる。
【００１０】
また、本発明に係るタイヤ成形型は、タイヤのトレッドパターンを成形する成形面部に、タイヤ周方向に沿って配列されたブロックを形成するための複数の凹所と、溝部を形成するための凸部とが設けられ、前記凹所のタイヤ周方向両側の隅部の各々にベントホールが設けられているタイヤ成形型において、前記凸部の横溝を成形する部分を挟んで前記凹所の隅部がタイヤ周方向に互いに隣り合っており、ベントホールが一方の前記凹所の隅部に設けられていて、別のベントホールが他方の前記凹所の隅部から離れる側に設けられており、前記成形面部の全域にて、ベントホールが、別のベントホールの中心からタイヤ周方向に１２ｍｍ以内で且つタイヤ幅方向に５ｍｍ以内となる範囲に含まれない位置に設けられていることを特徴とする。このタイヤ成形型によれば、トレッド面の全域においてスピューの配置間隔が確保されるため、トリミング処理の際に、スピュー同士の干渉を抑制して切り残しの発生を防ぐことができる。
【発明を実施するための最良の形態】
【００１１】
図１は、本発明に係るタイヤ成形型の成形面部の一例を示す正面図であり、左右がタイヤ周方向、上下がタイヤ幅方向となる。図２はその要部拡大図である。成形面部１には、ブロックなどの陸部を形成するための凹所６と、溝部を形成するための凸部７とが設けられている。加硫成形時には、成形面部１が未加硫タイヤのトレッド面に押し当てられ、その凹凸形状に対応したトレッドパターンが成形される。
【００１２】
本実施形態では、タイヤ赤道に対応するセンターラインＣのタイヤ幅方向両外側に、平行四辺形をなすセンターブロックを成形するための凹所６ａ，６ｂがタイヤ周方向に沿って配列されている。また、凹所６ｂのタイヤ幅方向外側には、ショルダーブロックを成形するための凹所６ｃがタイヤ周方向に沿って配列されている。凸部７は、タイヤ周方向に延びた部分を有し、これにより周方向溝が成形される。凹所６及び凸部７は、センターラインＣに関して対称的に設けられている。
【００１３】
凹所６の隅部はタイヤ周方向に互いに隣り合っており、凹所６の各々では、その隅部にベントホール８が設けられている。加硫成形時には、ベントホール８を通じて凹所６内のエアを排出することにより、ゴムを凹所６内に円滑に流入せしめてベアの発生を防止できる。ベントホール８の直径は、１ｍｍ以上であることがエアの排出性を確保するうえで好ましく、１〜１．３５ｍｍであるものが例示される。また、ベントホール８に座繰りを設ける場合、座繰り径は例えば１．８〜３ｍｍである。
【００１４】
本発明では、成形面部１の全域にて、ベントホール８が、別のベントホール８の中心からタイヤ周方向に１２ｍｍ以内で且つタイヤ幅方向に５ｍｍ以内となる範囲に含まれない位置に設けられている。したがって、図２に示したベントホール８ａと、それとは別のベントホール、例えばベントホール８ａに最も近いベントホール８ｂとに着目した場合、ベントホール８ａは、ベントホール８ｂの中心からタイヤ周方向に１２ｍｍ以内で且つタイヤ幅方向に５ｍｍ以内となる範囲Ａに含まれない位置に設けられている。
【００１５】
このようなベントホール８の配置は、凸部７の横溝を成形する部分の幅Ｗｐを適宜に大きくしたり、ベントホール８を凹所６の隅部から少し離したりすることで設定できる。また、凸部７の幅を大きくできない場合などであれば、図３に示すようにベントホール８ａのタイヤ幅方向位置をずらすことで、ベントホール８ｂの範囲Ａに含まれないようにすることも可能である。
【００１６】
既述のように、加硫成形時には、未加硫タイヤのトレッド面に成形面部１が押し当てられ、凹所６及び凸部７の形状に対応したトレッドパターンが成形される。このとき、トレッド面と成形面部１との間にあるエアが、ベントホール８を通じて型外に排出されるとともに、凹所６に充満したゴムがベントホール８に流入して、長さが９〜１２ｍｍ程度のスピューがトレッド面に多数突設される。
【００１７】
加硫成形を完了したタイヤは、タイヤ成形型から脱型され、必要に応じて所定の工程を経由した後、スピューを切除するためのトリミング装置に搬送される。図４は、トリミング処理を説明するための概略図であって、（ａ）平面図と（ｂ）側面図を示している。加硫成形後のタイヤ２は、不図示のトリミング装置によってＲ方向に回転可能に支持されており、多数のスピュー３が形成されたトレッド面には、タイヤ幅方向に沿って移動可能なカッター刃４が近接配置されている。
【００１８】
トリミング処理は、トレッド面にカッター刃４を近付けた状態でタイヤ２を回転させ、スピュー３をタイヤ周方向から切除することで行われる。このとき、カッター刃４をタイヤ幅方向に沿って移動させることで、トレッド面に突設された全てのスピュー３にカッター刃４を当てることができる。なお、タイヤ２の回転は、カッター刃４に対する相対的な回転であればよいため、タイヤ２を固定したままカッター刃４をタイヤ周方向に動かしても構わない。
【００１９】
スピュー３は、図１，２で示したベントホール８と同じく、その配置間隔がトレッド面の全域において確保されており、そのタイヤ周方向の間隔は最小でも１２ｍｍを超える。したがって、トリミング処理の際に、図５に示すように、カッター刃４がスピュー３ａを倒れ込ませたとしても、そのスピュー３ａがタイヤ周方向に隣り合うスピュー３ｂに干渉することがなく、カッター刃４をスピュー３ｂの根元に適切に入り込ませることができる。これにより、スピュー３の切り残しの発生を防いで、タイヤの外観向上を図ることができる。なお、スピュー同士がタイヤ幅方向に５ｍｍ以上離れている場合には、タイヤ周方向に倒れ込んでも干渉しないため、切り残しを生じさせることはない。
【００２０】
本発明におけるタイヤ成形型は、ベントホールの配置に関して上記の如き構成を採用すること以外は、通常のタイヤ成形型と同等であり、従来公知の材料、形状、構造などが何れも本発明に採用することができる。
【００２１】
本発明は上述した実施形態に何ら限定されるものではなく、本発明の趣旨を逸脱しない範囲内で種々の改良変更が可能である。本発明では、成形面部の凹凸形状（凹所及び凸部の形状）は特に制限されず、前述のようなブロックパターン以外にも、リブ、ラグ又はリブラグなど種々のパターンに適用することができる。但し、本発明はブロックパターンの場合に特に有用である。その理由は、ブロックパターンに対応した成形面部では、ベントホールが設けられる凹所の隅部がタイヤ周方向に隣り合い、トリミング処理時にスピュー同士が干渉し易いためである。
【実施例】
【００２２】
本発明の構成と効果を具体的に示すため、タイヤサイズ２７５／３５Ｒ１８の空気入りタイヤの製造において上記の如きトリミング処理を実施し、スピューの切り残しの発生状況を確認した。加硫成形では、成形面部の全域にて、ベントホールが、別のベントホールの中心からタイヤ周方向に１２ｍｍ以内で且つタイヤ幅方向に５ｍｍ以内となる範囲に含まれない位置に設けられているタイヤ成形型を使用し、タイヤ周方向でのベントホール間隔は最小で１５ｍｍとした。トリミング処理の結果、１０００本のタイヤのうち、スピューの切り残しが発生したのは３０本だけであり、スピューの切り残しの発生を良好に防ぐことができた。
【図面の簡単な説明】
【００２３】
【図１】本発明に係るタイヤ成形型の成形面部の一例を示す正面図
【図２】図１の成形面部の要部拡大図
【図３】成形面部の要部拡大図
【図４】トリミング処理を説明するための概略図
【図５】図４（ｂ）の要部拡大図
【図６】成形面部の一例を示す要部拡大図
【図７】トリミング処理時のスピューを示す拡大図
【符号の説明】
【００２４】
１    成形面部
２    タイヤ
３，３ａ，３ｂ    スピュー
４    カッター刃
６，６ａ，６ｂ，６ｃ  凹所
７    凸部
８，８ａ，８ｂ    ベントホール
【図１】
0005229983.tif 000002
【図２】
0005229983.tif 000003
【図３】
0005229983.tif 000004
【図４】
0005229983.tif 000005
【図５】
0005229983.tif 000006
【図６】
0005229983.tif 000007
【図７】
0005229983.tif 000008